(57)【要約】  【課題】  装置自体の省スペース化及び低コスト化を図り、更に、作業者の身体的負担を軽減し、刷紙の損傷を防止した上で、作業者が刷紙の紙束を簡易に反転させることができる紙束反転装置を提供すること。  【解決手段】  紙束Ｂが収容空間７内へ収容されると、正姿勢にあるホルダー部材２は作業者の手で支軸を回転中心に正回転される。ホルダー部材２が略９０°正回転されて背面板５が略水平になると、紙束Ｂの側端は受け面５ａによって受け支えられる。ホルダー部材２が更に略９０°正回転されて上下反転された逆姿勢になると、天井面４ａが載置面３ａの下側となって、この天井面４ａ上に紙束Ｂが上下反転されて載置される。この後、紙束Ｂは、正面口２ａ及び側面口２ｂから他方の作業台２１の上面へとスライドされながら抜き取られる。【選択図】        図６
2006240864.tif 000002
【特許請求の範囲】
【請求項１】
複数枚の刷紙を上下方向に積層して束ねた印刷紙の紙束を上下反転させる紙束反転装置において、
紙束を載置可能な載置面と、その載置面の上方に対向形成される天井面と、その天井面及び載置面間に立設されその載置面が傾斜又は縦立される場合に紙束の側端を受け支える受け面と、その受け面、載置面および天井面により仕切られ紙束を収容可能に形成される収容空間とを有するホルダー部材と、
そのホルダー部材を回転可能に支持すると共に、その回転によって前記載置面及び天井面の上下を反転させるものであって、その回転中に前記ホルダー部材における前記受け面側の端部が下向きとなるように前記ホルダー部材の回転方向を規制する回転支持部材とを備えていることを特徴とする紙束反転装置。
【請求項２】
前記ホルダー部材の姿勢は、前記回転支持部材による回転によって、前記載置面が前記天井面の下側に位置する正姿勢と、前記載置面が前記天井面の上側に位置する逆姿勢とに変更可能であり、
前記回転支持部材は、前記ホルダー部材を正姿勢から逆姿勢へと回転させる正回転と、そのホルダー部材を逆姿勢から正姿勢へと回転させる逆回転とが可能に形成されており、  更に、前記ホルダー部材の正回転により逆回転方向へ作用する復元力を蓄積し、その復元力によって前記ホルダー部材を逆姿勢から正姿勢に逆回転させて復帰させる姿勢復帰手段を備えていることを特徴とする請求項１記載の紙束反転装置。
【請求項３】
前記ホルダー部材は、
請求項２記載の正姿勢にあって、
該ホルダー部材の底部に配設され前記載置面が上面に形成される載置板と、
その載置板と対向して該ホルダー部材の天井部に配設され前記天井面が下面に形成される天井板と、
その天井板及び前記載置板間であって該ホルダー部材の背面部に立設され前記受け面が内面に形成される受け板と、
該ホルダー部材の正面部に開設される正面口とその正面口に連続して該ホルダー部材の一側面部に開設される側面口とを有して、その側面口及び正面口のいずれもが前記収容空間と連通される挿入口と、
該ホルダー部材における他側面部の略中央から外方へ突設される支軸とを備えており、
前記回転支持部材は、前記支軸を回転可能に軸支するものであることを特徴とする請求項１又は２に記載の紙束反転装置。
【請求項４】
前記回転支持部材は、
前記ホルダー部材が請求項２記載の正姿勢の場合に、前記載置板における前記正面口側の端部に対して下方からこれに衝合され、前記載置面を略水平状態に保持する正転ストッパー部材と、
前記ホルダー部材が請求項２記載の逆姿勢の場合に、前記天井板における前記正面口側の端部に対して下方からこれに衝合され、前記天井面を略水平状態に保持する逆転ストッパー部材とを備えていることを特徴とする請求項３記載の紙束反転装置。
【請求項５】
前記回転支持部材に配設され前記ホルダー部材の高さ位置を調節する昇降手段とを備えていることを特徴とする請求項３又は４に記載の紙束反転装置。
【発明の詳細な説明】
【技術分野】
【０００１】
本発明は、印刷物の一部を構成する刷紙を複数枚束ねた紙束を纏めて反転させることができる紙束反転装置に関するものである。
【背景技術】
【０００２】
例えば、書籍や雑誌のような「頁もの」と呼ばれる印刷物は複数枚の刷紙（折丁又はペラ丁を含む。）を頁順に纏めたものであり、この複数枚の刷紙を纏める作業のことは丁合と呼ばれている。現在、このような製本時の丁合作業は、一般に多面付けされた刷紙を折り加工した後に機械丁合することによって行われるが、例えば、丁合機がペラ丁合機の場合、少部数の製本の場合、又は、極端に大判や小判の場合においては折り加工することなく刷紙を頁毎に断裁した後にペラ丁合することによって行われる。
【０００３】
ところで、丁合では、例えば、同じ内容の刷紙を複数枚纏めて積層させた紙束が巻頭から巻末まで頁毎に分けられ、その各紙束から刷紙が一枚ずつ頁順に摘み取られて、一冊の印刷物に纏められる。また、このとき、刷紙に次ページ分の刷紙を重ねるには、１の刷紙の裏面に次の刷紙の表面を突き合わせる必要がある。ところが、元来折り丁合に適するように多面付けされている刷紙にあっては、それをペラ丁合するに当たっての下準備として、刷紙を頁毎に断裁してから、更に、その断裁により幾つかに分けられた紙束の半分を表裏反転させなければならない。
【０００４】
また、チラシなどの両面印刷物の印刷においては、表面と裏面とを交互に多面付けした一枚の刷版によって、用紙の両面を印刷する工夫がなされている。ところが、かかるチラシなどの刷紙を紙束状に積層させて断裁して仕上げたとき、断裁済み刷紙の紙束は、その上面に現れるのがチラシなどの表面だったり又は裏面だったりして、各紙束の表裏が統一されていない。このため、表裏が逆向きの紙束については、その紙束を上下反転させて、他の紙束と表裏を揃えなければならないのである。
【０００５】
ところが、複数枚の刷紙を束ねた紙束を反転させる作業は、紙束を作業台上で完全に持ち上げてから、紙束全体の上下を瞬時に反転させて裏返す必要がある。このため、作業者に負担を強いてしまい、例えば、紙束の反転の際の動作が手首などの腱鞘炎を誘発させてしまう。また、大重量の紙束を反転させることは熟練した職人でなければ困難であり、反転中に紙束を落下させて刷紙の角部を潰して皺にしてしまうこともある。
【０００６】
そこで、このような紙束の反転作業に伴う作業者の負担を軽減すべく、特開平１１−５９９７９号公報には、紙束の表裏を機械的に反転させる機能を備えた折丁調整・供給装置が記載されている。
【０００７】
この折丁調整・供給装置は、丁合機用のポケットへ折丁を送入するオートローダに備えられるものであって、束ねられた或る量の折丁を受ける受け台と、該受け台上の解梱された折丁の積層体を受け入れて該積層体を反転するため上下に相対する一対の可動のフォーク状支持部を有し且つ回転及び進退可能な回転ボックスとを備えている。当該装置によれば、折丁の束が受け台に置かれて解梱された後に回転ボックスが前進されて、折丁の積層体が回転ボックスにより支持されて、この回転ボックスの回転により折丁の積層体の上下が反転される。
【特許文献１】特開平１１−５９９７９号公報
【発明の開示】
【発明が解決しようとする課題】
【０００８】
しかしながら、上記した折丁調節・供給装置は、機械丁合用の丁合機へ折丁を送入するためのオートローダに備えられるものであって、ペラ丁合による製本に適した極端に少部数の印刷物や、損傷しやすい印刷面の刷本や、極端に大判又は小判の印刷物に関する設備として特化されたものでもないため、装置自体のサイズも大きく、またコスト面でも高価であり、ペラ丁合作業に使用するには極めて不適当という問題点がある。
【０００９】
本発明は、上述した問題点を解決するためになされたものであり、装置自体の省スペース化及び低コスト化を図り、更に、作業者の身体的負担を軽減し、刷紙の損傷を防止した上で、作業者が刷紙の紙束を簡易に反転させることができる紙束反転装置を提供することを目的としている。
【課題を解決するための手段】
【００１０】
この目的を達成するために請求項１記載の紙束反転装置は、複数枚の刷紙を上下方向に積層して束ねた印刷紙の紙束を上下反転させるものであり、紙束を載置可能な載置面と、その載置面の上方に対向形成される天井面と、その天井面及び載置面間に立設されその載置面が傾斜又は縦立される場合に紙束の側端を受け支える受け面と、その受け面、載置面および天井面により仕切られ紙束を収容可能に形成される収容空間とを有するホルダー部材と、そのホルダー部材を回転可能に支持すると共に、その回転によって前記載置面及び天井面の上下を反転させるものであって、その回転中に前記ホルダー部材における前記受け面側の端部が下向きとなるように前記ホルダー部材の回転方向を規制する回転支持部材とを備えている。
【００１１】
この請求項１記載の紙束反転装置によれば、複数枚の刷紙の紙束は、載置面の上に載置されて、ホルダー部材の収容空間に収容される。紙束の収容後、ホルダー部材は、その受け面側の端部が下向きとなるように回転支持部材によって回転され、載置面と天井面との上下位置が反転される。すると、紙束は、ホルダー部材の収容空間内で上下反転されて天井面に載置される。この後、紙束は収容空間からホルダー部材の外へ抜き出される。
【００１２】
請求項２記載の紙束反転装置は、請求項１記載の紙束反転装置において、前記ホルダー部材の姿勢は、前記回転支持部材による回転によって、前記載置面が前記天井面の下側に位置する正姿勢と、前記載置面が前記天井面の上側に位置する逆姿勢とに変更可能であり、前記回転支持部材は、前記ホルダー部材を正姿勢から逆姿勢へと回転させる正回転と、そのホルダー部材を逆姿勢から正姿勢へと回転させる逆回転とが可能に形成されており、更に、前記ホルダー部材の正回転により逆回転方向へ作用する復元力を蓄積し、その復元力によって前記ホルダー部材を逆姿勢から正姿勢に逆回転させて復帰させる姿勢復帰手段を備えている。
【００１３】
この請求項２記載の紙束反転装置によれば、請求項１記載の紙束反転装置と同様に作用する上、ホルダー部材が回転支持部材により正回転されると、このホルダー部材は正姿勢から逆姿勢へと転換される。これによって、ホルダー部材内の紙束は上下反転される。また、このようにホルダー部材が正姿勢から逆姿勢へと正回転されると、姿勢復帰手段によって復元力が蓄積される。かかる場合に、当該ホルダー部材を押さえる手が離されると、姿勢復帰手段の復元力によってホルダー部材が逆回転されて、かかるホルダー部材が逆姿勢から正姿勢に復帰させられる。
【００１４】
請求項３記載の紙束反転装置は、請求項１または２に記載の紙束反転装置において、前記ホルダー部材は、請求項２記載の正姿勢にあって、そのホルダー部材の底部に配設され前記載置面が上面に形成される載置板と、その載置板と対向して該ホルダー部材の天井部に配設され前記天井面が下面に形成される天井板と、その天井板及び前記載置板間であって該ホルダー部材の背面部に立設され前記受け面が内面に形成される受け板と、該ホルダー部材の正面部に開設される正面口とその正面口に連続して該ホルダー部材の一側面部に開設される側面口とを有して、その側面口及び正面口のいずれもが前記収容空間と連通される挿入口と、該ホルダー部材における他側面部の略中央から外方へ突設される支軸とを備えており、前記回転支持部材は、前記支軸を回転可能に軸支するものである。
【００１５】
なお、請求項３記載の紙束反転装置は、請求項２記載の紙束反転装置において、
前記姿勢復帰手段は、前記支軸と前記回転支持部材との間に介装される弾性部材を備えており、その弾性部材が前記支軸が正回転することにより弾性変形され、その弾性変形に伴う弾性復元力により前記支軸を逆回転させるものであっても良い。
【００１６】
この請求項３記載の紙束反転装置によれば、請求項１または２に記載の紙束反転装置と同様に作用する上、紙束は、ホルダー部材の挿入口から収容空間内へ挿入されて、載置板の載置面に載置される。そして、このホルダー部材は支軸を中心に回転されるのであるが、このときホルダー部材の正面口が上向きとなるように回転されて、載置板及び天井板の上下位置が反転される。ホルダー部材が上下反転されると、ホルダー部材の正面口は、ホルダー部材の背面側に向けられて、収容空間内の紙束は天井板の天井面に載置された状態となる。そして、収容空間内の紙束は挿入口から抜き取られる。
【００１７】
請求項４記載の紙束反転装置は、請求項３記載の紙束反転装置において、前記回転支持部材は、前記ホルダー部材が請求項２記載の正姿勢の場合に、前記載置板における前記正面口側の端部に対して下方からこれに衝合され、前記載置面を略水平状態に保持する正転ストッパー部材と、前記ホルダー部材が請求項２記載の逆姿勢の場合に、前記天井板における前記正面口側の端部に対して下方からこれに衝合され、前記天井面を略水平状態に保持する逆転ストッパー部材とを備えている。
【００１８】
この請求項４記載の紙束反転装置によれば、請求項３記載の紙束反転装置と同様に作用する上、ホルダー部材が正姿勢から逆姿勢へと回転されると、当該ホルダー部材は、その天井板における正面口側の端部が逆転ストッパー部材と衝合して衝止される。一方、ホルダー部材が逆姿勢から正姿勢へと回転されると、当該ホルダー部材は、その載置板における正面口側の端部が正転ストッパー部材と衝合して衝止される。
【００１９】
請求項５記載の紙束反転装置は、請求項３または４に記載の紙束反転装置において、前記回転支持部材に配設され前記ホルダー部材の高さ位置を調節する昇降手段とを備えている。
【発明の効果】
【００２０】
請求項１記載の紙束反転装置によれば、作業者は、刷紙の紙束が収容されたホルダー部材を、回転支持部材によって所定方向へ回転させるだけで、紙束を上下反転させることができる。従って、作業者は紙束を無理に持ち上げる必要もなく、また、手首に無理な負担を掛けることもないので、作業者の身体的負担を軽減できるという効果がある。しかも、熟練した職人でなくとも、刷紙を損傷させずに大重量の紙束でも容易に反転できるという効果がある。また、装置自体の構造も簡素であるので、装置自体を省スペース化でき且つ設備コストも低減できるという効果がある。
【００２１】
請求項２記載の紙束反転装置によれば、請求項１記載の紙束反転装置の奏する効果に加え、紙束を上下反転させるために逆姿勢となったホルダー部材は、姿勢復帰手段によって自動的に正姿勢へと逆回転されるので、作業者が紙束の反転させる度にホルダー部材を逆転させる必要がなく、作業者の煩瑣な作業を簡素化できるという効果がある。
【００２２】
請求項３記載の紙束反転装置によれば、請求項１または２に記載の紙束反転装置の奏する効果に加え、紙束をホルダー部材の収容空間に挿入させる挿入口はホルダー部材の正面部及び一側面部の双方に相互に連続して大きく開設されるので、紙束の厚みが大きくて把持しにくい場合でも紙束を収容空間へ円滑に挿入させることができるという効果がある。また、例えば、紙束を収容空間へ納めた状態で紙束の一部を挿入口の正面口又は側面口から予め突出させておくこともできるので、この紙束の一部を掴んで紙束を収容空間から円滑に抜き取ることができ、刷紙の損傷を防止できるという効果がある。
【００２３】
請求項４記載の紙束反転装置によれば、請求項３記載の紙束反転装置の奏する効果に加え、ホルダー部材が正姿勢となる状態にあっては載置板が正転ストッパー部材と衝合されることで、載置面が略水平に保持されるので、紙束の重みでホルダー部材が回転して載置板が傾くこともなく、この傾きにより収容空間から紙束がずり落ちることを防止できるという効果がある。また、ホルダー部材が逆姿勢となる状態にあっては天井板が逆姿勢ストッパー部材と衝合されることで、天井面が略水平に保持されるので、紙束の重みでホルダー部材が回転して天井板が傾くこともなく、この傾きにより収容空間から紙束がずり落ちることを防止できるという効果がある。
【００２４】
請求項５記載の紙束反転装置によれば、請求項３または４に記載の紙束反転装置の奏する効果に加え、昇降手段によって、ホルダー部材の高さを作業台の高さに合わせて調節でき、ホルダー部材の挿入口へ紙束を出し入れし易くできるという効果がある。
【発明を実施するための最良の形態】
【００２５】
以下、本発明の好ましい実施例について、添付図面を参照して説明する。図１は、本発明の一実施例である紙束反転装置１の正面図であり、図２は、紙束反転装置１の平面図である。図１に示すように、紙束反転装置１は、複数枚の刷紙を積層させて束ねた紙束Ｂ（図中の２点鎖線）を収容するためのホルダー部材２を備えている。このホルダー部材２は正面視矩形状に形成されており、その底部に平板状の載置板３が略水平に設けられている。一方、ホルダー部材２の天井部であって載置板３の上方には平板状の天井板４が略水平に設けられており、この天井板４は載置板３と上下に所定間隔を隔てて平行に対向配置されている。
【００２６】
載置板３は、ホルダー部材２へ収容される紙束Ｂを当初支持するものであり、天井板４は、ホルダー部材２が上下反転された場合に紙束Ｂを支持するためのものである。具体的には、載置板３及び天井板４の対向面がそれぞれ略水平面状の載置面３ａ及び天井面４ａとされており、載置板３は載置面３ａによって、又、天井板４は天井面４ａによってそれぞれ紙束Ｂを受け支えることができる。なお、図１に示すように、ホルダー部材２の載置面３ａが天井面４ａの下側に位置する状態のホルダー部材２の姿勢を「正姿勢」という。
【００２７】
図２に示すように、ホルダー部材２の正面部には正面口２ａが開設されており、ホルダー部材２の幅方向一側面部（図２左側）には正面口２ａと相互に連続する側面口２ｂが開設されている。これら正面口２ａ及び側面口２ｂはいずれもホルダー部材２の内部へ紙束Ｂを挿入する際の挿入口として機能するものであり、このために図１では、ホルダー部材２の正面側から背面板５が露出されると共に、ホルダー部材２の幅方向一側面部（図１左側）が開放された状態となっている。また、一方で、当該ホルダー部材２の背面部及び他側面部（図１右側）には背面板５及び側面板６が立設されている。
【００２８】
図１に示すように、この背面板５はホルダー部材２の背面部を閉塞するものであって、この背面板５の内面は、ホルダー部材２が回転される場合に紙束Ｂの側端を受け止めて支える受け面５ａとされている。また、側面板６はホルダー部材２の他側面部（図１右側）を閉塞するものである。そして、側面板６は、その下端が載置板３と連設され、その上端が天井板４と連設されている。これらの載置板３、天井板４、背面板５及び側面板６により仕切られたホルダー部材２の内側には側面口２ｂ側が開放された正面視略コ字形の収容空間７が形成されており、この収容空間７には上下方向に積層された紙束Ｂを積層状態のまま収容させることができる。
【００２９】
また、ホルダー部材２の側面板６の外面には支軸８の一端部が固着されている。この支軸８は、ホルダー部材２を回転可能に軸支するための円柱棒状体であり、側面板６の外面から外方（図１右側）へと略水平に突設されている。そして、この支軸８は、その軸方向（図１左右方向）に間隔を空けて配設される一対の軸受け９，９によって回転可能に軸支されており、この一対の軸受け９，９は、車台フレーム１０の上部に配設される支持台１１の略水平な上面に固定されている。
【００３０】
また、ホルダー部材２の支軸８と、車台フレーム１０の支持台１１との間には弾性的に伸縮可能なベルト状に形成される弾性ベルト１２が介装されている。具体的に、この弾性ベルト１２の一端は支軸８の外周面に定着されており、弾性ベルト１２の他端は支持台１１に定着されている（図５参照）。従って、支軸８が一方向へ回転されると、その回転によって弾性ベルト８の弾性的に伸張変形されて、この変形した弾性ベルト１２の弾性復元力によって支軸８を反対方向へ逆回転させる回転させる力が付与される。
【００３１】
次に、この車台フレーム１０について説明する。車台フレーム１０は、ホルダー部材２を支持するための構造体であって、自らが走行機能と昇降機能とを備えている。この車台フレーム１０は、ホルダー部材２の支軸８を軸受け９，９を介して軸支する支持台１１を備えており、この支持台１１は架台１３の上面（図１右側）に立設されている。
【００３２】
この架台１３は、ホルダー部材２及び支持台１１の双方の下方に跨って設けられる平板状体であり、この架台１３におけるホルダー部材２側（図１左側）の上面からは逆転用ストッパー１４が立設されている。逆転用ストッパー１４は、その上端面にホルダー部材２の載置板３の下面が当接されており、この載置板３を下方から略水平に保持している。また、架台１３の下方には、この架台１３を下方から支持する側面視略Ｘ字形のパンタグラフ状の枠組みである脚部１５が配設されている。
【００３３】
脚部１５は、架台１３の幅方向一端側（図１右側）に配設されるハンドル１６を回転させることにより上下方向（図１上下方向）に伸縮可能に形成されており、この伸縮によって架台１３が昇降され、架台１３の高さが調節される。また、脚部１５の下部には走行用のブレーキ機能付キャスター（以下単に「キャスター」という。）１７が取着されている。なお、図中では２個のキャスター１７のみが図示されているが、このキャスター１７は、脚部１５の下部四隅に１個ずつ合計４個取着されている。
【００３４】
図３は、紙束反転装置１の側面図であって、図１に示す紙束反転装置１の左側面に相当するものである。なお、図３及び下記する図４から図７については車台フレーム１０における架台１３より下側に設けられる各部位の図示を省略する。
【００３５】
図３に示すように、ホルダー部材２の正面部（図３右側）には上記した正面口２ａが開設されており、背面板５は、その下端が載置板３と連設され、その上端が天井板４と連設されている。そして、これらの載置板３、天井板４、背面板５及び側面板６により仕切られた収容空間７は、正面口２ａ側（図３右側）が開放された側面視略コ字形に形成されている。また、架台１３の一端部（図３右側）には上記した逆転用ストッパー１４が立設されており、架台１３の他端部（図３左側）には正転用ストッパー１８が立設されている。
【００３６】
ホルダー部材２が正姿勢の場合、逆転用ストッパー１４は、その上端がホルダー部材２における載置板３の正面口２ａ側（図３右側）の端部に対して下方から当接されており、この逆転用ストッパー１４によって載置面３ａが略水平に保持される。この逆転用ストッパー１４の上端には、載置板３との衝突に伴う衝撃を緩衝するために高減衰ゴム製の緩衝材１４ａが取着されている。
【００３７】
図４は、紙束反転装置１の側面図であって、図３に示すホルダー部材２が上下反転した状態を示すものである。ここで、図４に示すようにホルダー部材２の載置面３ａが天井面４ａの上側に位置する状態のホルダー部材２の姿勢を「逆姿勢」という。図４に示すように、ホルダー部材２が逆姿勢の場合、正転用ストッパー１８は、その上端がホルダー部材２における天井板４の正面口２ａ側（図４左側）の端部に対して下方から当接されており、この正転用ストッパー１８によって天井面４ａが略水平に保持される。この正転用ストッパー１８の上端には、天井板４との衝突に伴う衝撃を緩衝するために高減衰ゴム製の緩衝材１８ａが取着されている。
【００３８】
図５及び図６は、図１のＩＶ−ＩＶ線における断面図であって、図５は、ホルダー部材２が正姿勢の場合におけるものであり、図６はホルダー部材２が逆姿勢の場合におけるものである。弾性バンド１２は、ホルダー部材２が支軸８を介して正姿勢から逆姿勢へと正回転（図５の反時計方向へ回転）されると、その支軸８の回転に伴って支軸８の外周に捲回されて、図５に示す状態から図６に示す状態へと弾性的な伸張変形を行う。この伸張変形によって、弾性バンド１２には、その弾性バンド１２が収縮変形しようとする弾性復元力が蓄積される。
【００３９】
次に、図１から図７を参照して紙束反転装置１の使用方法の一例について説明する。ここで、図７は、ホルダー部材２の回転動作を説明するための紙束反転装置１の側面図であって、図１に示す紙束反転装置１の左側面に相当するものである。具体的に、図７（ａ）は、ホルダー部材２が正姿勢の場合の側面図であり、図７（ｂ）は、ホルダー部材２が正姿勢から略９０°正回転された場合の側面図であり、図７（ｃ）は、ホルダー部材２が逆姿勢の場合の側面図である。
【００４０】
紙束反転装置１を使用する場合には、まず、紙束反転装置１のキャスター１７を床面上で転動させて、紙束反転装置１を走行させ、図７に示すように２台の並置される作業台２１，２２間に横付けする。このとき、一方の作業台２１が紙束反転装置１の正面側に、他方の作業台２２が紙束反転装置１の背面側に、それぞれ位置するように紙束反転装置１を横付けさせる。なお、２台の作業台２１，２２の高さは略等しいものとする。
【００４１】
紙束反転装置１の横付け後は、ハンドル１６を回転させることによって脚部１５を上方又は下方へ伸縮させて、ホルダー部材２の載置面３ａの高さが作業台２１の上面と略等しい高さ又はそれより若干低めに調節される。そして、ホルダー部材２の正面側にある作業台２１に載置される紙束Ｂの端部が作業者により把持されて、この紙束Ｂが、正面口２ａ及び側面口２ｂから収容空間７内へと図７（ａ）に示すに矢印Ｘ方向へスライドされながら挿入されて、載置面３ａの上に載置される。
【００４２】
図７（ａ）に示すように、収容空間７内へ収容された紙束Ｂは、その把持されていた端部がホルダー部材２の側面口２ｂから突出されたままにされる（図１及び図２参照）。紙束Ｂのホルダー部材２内への収容が完了すると、正姿勢にあるホルダー部材２は作業者の手で図７（ａ）の反時計方向へ支軸８を回転中心に正回転される。
【００４３】
すると、ホルダー部材２の載置板３は逆転用ストッパー１４から離間されて徐々に傾斜される。またこれと同時に、ホルダー部材２の背面板５は略垂直状態から徐々に傾斜され、且つ、ホルダー部材２の背面側の端部は徐々に下方を向くように変化する。このようにホルダー部材２が正回転されて、ホルダー部材２の背面板５が徐々に略水平になってくると、紙束Ｂの側端（図３左側）は背面板５の受け面５ａによって受け止められて支えられるようになる。
【００４４】
そして、図７（ｂ）に示すように、ホルダー部材２が正姿勢から略９０°正回転されると、正面口２ａが鉛直上方に向けられ、背面板５が鉛直下方に向けられ、受け面５ａが略水平状態とされる。この後、ホルダー部材２が更に略９０°正回転されて図７（ｃ）に示すように逆姿勢になると、天井板４が正転用ストッパー１８と衝合されて、ホルダー部材２の正回転が衝止される。ホルダー部材２が逆姿勢となると、天井面４ａが載置面３ａの下側となって、この天井面４ａ上に紙束Ｂが上下反転されて載置される。
【００４５】
このときホルダー部材２の正面口２ａは、紙束反転装置１の背面側（図７（ｃ）左側）に設置される他方の作業台２２の方に向けられる。その後、ホルダー部材２の側面口２ｂから突出されている紙束Ｂの端部（図１及び図２参照）が作業者により把持されて、この紙束Ｂが、正面口２ａ及び側面口２ｂから他方の作業台２１の上面へと図７（ｃ）に示す矢印Ｘ方向へスライドされながら抜き取られる。以上の結果、紙束Ｂの上下反転作業が完了する。
【００４６】
ところで、上記したようにホルダー部材２が正姿勢から略１８０°正回転されると、当然ながら支軸８も略１８０°正回転される。すると、図５に示す状態だった弾性バンド１２は、図６に示すように支軸８の外周に捲回されて、弾性的に伸張変形させられる。すると、弾性バンド１２には弾性変形に伴う弾性復元力が蓄積される。そして、ホルダー部材２を逆姿勢で支える作業者の手がホルダー部材２から放されると、弾性バンド１２が弾性的に収縮変形して、支軸８が逆回転（図５の時計方向へ回転）され、これに伴ってホルダー部材２が逆回転される。
【００４７】
弾性バンド１２の弾性復元力によって、逆回転されるホルダー部材２は、図４に示す逆姿勢の状態から略１８０°逆回転される。そして、このホルダー部材２が図３に示す正姿勢になると、載置板３が逆転用ストッパー１４と衝合されて、ホルダー部材２の逆回転が衝止される。これで、逆姿勢にあったホルダー部材２がもとの正姿勢に復帰させられるので、次の紙束Ｂを一方の作業台２１からホルダー部材２の収容空間７へ挿入させる準備が整えられるのである。
【００４８】
以上、実施例に基づき本発明を説明したが、本発明は上記実施例に何ら限定されるものではなく、本発明の趣旨を逸脱しない範囲内で種々の改良変形が可能であることは容易に推察できるものである。例えば、本実施例では弾性バンド１２の弾性復元力を用いてホルダー部材２を逆姿勢から正姿勢へと逆回転させるように構成したが、かかるホルダー部材を正姿勢に復帰させる復元力の発生源は必ずしも弾性バンドに限定されるものではなく、例えば、バネなどの他の弾性部材であっても良い。
【００４９】
また、本実施例では、車台フレーム１０の架台１３を昇降させる機構として、ハンドル１６の回転により上下伸縮可能に構成されるパンタグラフ状の脚部１５を用いて説明したが、かかる昇降機構は必ずしもこれに限定されるものではなく、車台フレームの架台高さを少なくとも数段階以上に変更可能なものであれば、他の昇降機構であっても良い。
【００５０】
また、本実施例では、ホルダー部材２を形成する載置板３、天井板４、背面板５及び側面板６が平板状のものを使用したが、これらの形態は必ずしも平板状に限定されるものではなく、載置板及び天井板にあっては紙束Ｂの上下面を支持可能な部材であれば良く、背面板にあっては紙束Ｂの端面を支持可能な部材であれば良く、側面板にあっては当該側面板を介在させることなくホルダー部材に支軸を固着できれば必ずしも必要ではない。
【図面の簡単な説明】
【００５１】
【図１】本発明の一実施例である紙束反転装置の正面図である。
【図２】紙束反転装置の平面図である。
【図３】ホルダー部材が正姿勢状態にある紙束反転装置の側面図である。
【図４】ホルダー部材が逆姿勢状態にある紙束反転装置の側面図である。
【図５】図１のＩＶ−ＩＶ線における断面図であって、ホルダー部材が正姿勢の場合におけるものである。
【図６】図１のＩＶ−ＩＶ線における断面図であって、ホルダー部材が逆姿勢の場合におけるものである。
【図７】ホルダー部材の回転動作を説明するための紙束反転装置の側面図であって、（ａ）は、ホルダー部材が正姿勢の場合の側面図であり、（ｂ）は、ホルダー部材が正姿勢から略９０°正回転された場合の側面図であり、（ｃ）は、ホルダー部材が逆姿勢の場合の側面図である。
【符号の説明】
【００５２】
１                  紙束反転装置
２                  ホルダー部材
２ａ                正面口（正面口、挿入口の一部）
２ｂ                側面口（側面口、挿入口の一部）
３                  載置板
３ａ                載置面
４                  天井板
４ａ                天井面
５                  背面板
５ａ                受け面
７                  収容空間
８                  支軸
９                  軸受け（回転支持部材の一部）
１０                車台フレーム（回転支持部材の一部）
１２                弾性バンド（弾性部材、姿勢復帰手段）
１４                逆転用ストッパー（逆転ストッパー部材）
１５                脚部（昇降手段の一部）
１６                ハンドル（昇降手段の一部）
１８                正転用ストッパー（正転ストッパー部材）
【図１】
2006240864.tif 000003
【図２】
2006240864.tif 000004
【図３】
2006240864.tif 000005
【図４】
2006240864.tif 000006
【図５】
2006240864.tif 000007
【図６】
2006240864.tif 000008
【図７】
2006240864.tif 000009